(57)【要約】【課題】  給気導入口を形成する給気フランジ面からの結氷による給気口の閉塞を防止し、長期にわたって安全に燃焼が継続できる給排気筒を提供する。【解決手段】  排気筒２の外周を囲むように配置し給気経路を形成する給気筒３と、排気筒２に固定され給気経路と排気経路を分離する排気フランジ４と、該排気フランジ４と対向して設け前記給気筒３の取付規制を行うと共に前記排気フランジ４との間で給気導入口を形成する給気フランジ５とを備え、前記給気導入口近傍には、給気フランジ５に付着する結氷を燃焼状態に関係なく任意に溶解可能な発熱体１３を設けたものである。【選択図】  図１
2005090909.tif 000002
【特許請求の範囲】
【請求項１】
排気筒の外周を囲むように配置し給気経路を形成する給気筒と、排気筒に固定され給気経路と排気経路を分離する排気フランジと、該排気フランジと対向して設け前記給気筒の取付規制を行うと共に前記排気フランジとの間で給気導入口を形成する給気フランジとを備え、前記給気導入口近傍には、給気フランジに付着する結氷を燃焼状態に関係なく任意に溶解可能な発熱体を設けたことを特徴とする燃焼器の給排気筒。
【請求項２】
発熱体は電気ヒータを用い、給排気筒を固定する傾斜フランジと給気フランジとの間に挟んで取り付ける構成とした請求項１記載の燃焼器の給排気筒。
【請求項３】
発熱体は給排気筒を固定する傾斜フランジに一体化して取り付ける構成とした請求項１記載の燃焼器の給排気筒。
【請求項４】
発熱体への電源供給は室内側に設置した機器本体より行い、機器本体の通電手段を介して任意に通電可能な構成とした請求項１〜３のいずれか１項記載の燃焼器の給排気筒。
【請求項５】
発熱体への電源供給は機器本体のスイッチ操作により行い、所定の保温温度で制御するようにした請求項１〜４のいずれか１項記載の燃焼器の給排気筒。
【請求項６】
発熱体への電源供給は外気温検出手段の出力により行い、外気温が所定温度以下のとき発熱体への通電を開始するようにした請求項１〜４のいずれか１項記載の燃焼器の給排気筒。
【請求項７】
発熱体への電源供給は予め定めた異常が検出されたとき行い、異常解除操作により発熱体への通電を開始し、その後、通常動作を行うようにした請求項１〜４のいずれか１項記載の燃焼器の給排気筒。
【請求項８】
給気導入口に所定の大きさ以上の異物が侵入しない開口を有した給気カバーを配設した請求項１〜７のいずれか１項記載の燃焼器の給排気筒。
【発明の詳細な説明】
【技術分野】
【０００１】
本発明は、ＦＦ温風機等の燃焼器における給気側の結氷による給気閉塞を回避する構成を有する給排気筒に関するものである。
【背景技術】
【０００２】
従来この種の給排気筒として、排気筒に固定された排気フランジに排気ガスが回り込むようにして、排気フランジに雪や氷が付着しないようにしたものがある（例えば、特許文献１参照）。
【０００３】
図４は上記特許文献１に記載された従来の給排気筒を示すものである。
【０００４】
家屋の外壁１を貫通する排気筒２の外周に、これを囲むように給排気筒３を設け、この給気筒３の先端部より突出した排気筒２の部分に、該給気筒３の径より大径のフランジ４を取り付け、該フランジ４とこれに対向する外壁側に形成される面５との間に給気口６を形成し、かつフランジ４より先方に突出する排気筒部分に排気出口７を設けたものにおいて、該フランジ４の中空部８内に、排気ガスを前記中空部８内の周縁部に誘導する誘導板９を設けた構成となっている。
【特許文献１】特開平５−２１５３２４号公報
【発明の開示】
【発明が解決しようとする課題】
【０００５】
しかしながら、給排気筒における結氷の原因を深く探っていくと、単に低温の外気を吸い込むことにより給気口で結氷するのではなく、排気筒より放出される燃焼排ガス中に含まれる水蒸気が極低温状態で氷の結晶となり、この水蒸気が結晶化した空気を再度給気口より吸い込むことで、給気口の周囲から結氷していることが最大の要因であることが判明した。上記従来の構成では、排気筒や排気フランジ、特に周縁部は排ガスの熱気により温度が上昇するため結氷することはないが、排気フランジに対向する外壁側の給気フランジ面は温度が低く、この面で形成する給気導入口を通過する外気は給気フランジ面に結晶化した水蒸気が付着し、成長しながら給気口を閉塞していくという課題を有していた。
【０００６】
本発明は上記従来の課題を解決するもので、給気導入口を形成する給気フランジ面からの結氷による給気口の閉塞を防止し、長期にわたって安全に燃焼が継続できる給排気筒を提供するものである。
【課題を解決するための手段】
【０００７】
上記目的を達成するため本発明の燃焼器の給排気筒は、排気筒の外周を囲むように配置し給気経路を形成する給気筒と、排気筒に固定され給気経路と排気経路を分離する排気フランジと、該排気フランジと対向して設け前記給気筒の取付規制を行うと共に前記排気フランジとの間で給気導入口を形成する給気フランジとを備え、前記給気導入口近傍には、給気フランジに付着する結氷を燃焼状態に関係なく任意に溶解可能な発熱体を設けたものである。
【０００８】
これによって、燃焼中あるいは燃焼停止時に任意に発熱体により給気フランジ面を含む給気導入口近傍の温度を上昇することが可能となり、給気フランジ面から始まる導入空気中の結晶化した水蒸気の付着を防止し、給気口が閉塞されるという事態を回避することが可能となって、給気不足による異常燃焼を防止することができ、安全に燃焼を継続することが可能となる。
【発明の効果】
【０００９】
本発明の燃焼器の給排気筒は、給気導入口を形成する給気フランジ面を燃焼状態に関係なく加温する構成としているため、燃焼開始時に結氷により給気口を閉塞するという事態を回避することが可能であり、給気不足による異常燃焼を防止することができ、安全に燃焼を継続することが可能となる。
【発明を実施するための最良の形態】
【００１０】
第１の発明は、排気筒の外周を囲むように配置し給気経路を形成する給気筒と、排気筒に固定され給気経路と排気経路を分離する排気フランジと、該排気フランジと対向して設け前記給気筒の取付規制を行うと共に前記排気フランジとの間で給気導入口を形成する給気フランジとを備え、前記給気導入口近傍には、給気フランジに付着する結氷を燃焼状態に関係なく任意に溶解可能な発熱体を設けたことを特徴とするもので、燃焼中あるいは燃焼停止時に任意に発熱体により給気フランジ面を含む給気導入口近傍の温度を上昇することが可能となり、給気フランジ面から始まる導入空気中の結晶化した水蒸気の付着を防止し、給気口が閉塞されるという事態を回避することが可能となって、給気不足による異常燃焼を防止することができ、安全に燃焼を継続することが可能となる。
【００１１】
第２の発明は、発熱体は電気ヒータを用い、給排気筒を固定する傾斜フランジと給気フランジとの間に挟んで取り付ける構成としたことを特徴とするもので、給排気筒の設置時に傾斜フランジと給気フランジの間に電気ヒータを挟み込むだけの簡単な構成でよく、また電気ヒータとしてＰＴＣヒータ等の自己制御型ヒータを用いると電源コードを給排気筒用の貫通穴に通して接続するだけでよく、構成の簡素化が図れる。
【００１２】
第３の発明は、発熱体は給排気筒を固定する傾斜フランジに一体化して取り付ける構成としたことを特徴とするもので、傾斜フランジに内蔵することでシンプルな構成が実現でき、外観上も発熱体の露出がなく違和感のない仕上がりを提供することができる。
【００１３】
第４の発明は、発熱体への電源供給は室内側に設置した機器本体より行い、機器本体の通電手段を介して任意に通電可能な構成としたことを特徴とするもので、給排気筒用の貫通穴を通して電源コードを接続するだけでよく構成の簡素化が図れるとともに、機器側で発熱体への通電制御ができるため、別途工事の必要がなく、取付工事の簡素化が図れる。
【００１４】
第５の発明は、発熱体への電源供給は機器本体のスイッチ操作により行い、所定の保温温度で制御するようにしたことを特徴とするもので、本体側から制御することによって自由に保温温度を設定することができるという利点があり、最も結氷が起こりやすい１月から３月に保温温度を高く設定し、他の期間は保温を停止する等、本体側で容易に設定することができ、省エネ及び最適制御が可能となる。
【００１５】
第６の発明は、発熱体への電源供給は外気温検出手段の出力により行い、外気温が所定温度以下のとき発熱体への通電を開始するようにしたことを特徴とするもので、外気温度に応じて発熱体への通電制御を行うため、期間に関係なく結氷が起こる恐れがある場合は自動的に発熱体への通電が行われ、確実に給気フランジへの結氷を防止することができ、安全な燃焼を確保することができる。
【００１６】
第７の発明は、発熱体への電源供給は予め定めた異常が検出されたとき行い、異常解除操作により発熱体への通電を開始し、その後、通常動作を行うようにしたことを特徴とするもので、通常シーケンスの中で結氷による給気閉塞を推定し発熱体への通電制御を行うようにしているため、通電制御のために別途スイッチ等を設ける必要がなく、構成の簡素化が図れる。
【００１７】
第８の発明は、給気導入口に所定の大きさ以上の異物が侵入しない開口を有した給気カバーを配設したことを特徴とするもので、発熱体により結氷障害を解除する構成としたことにより給気導入口に異物侵入防止用の給気カバーを配設することができ、かめ虫などの昆虫が給気側に侵入し、燃焼異常や異常音が発生することを防止することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における給排気筒の設置断面図であり、家屋の外壁１を貫通した貫通穴１０に給排気筒１１を挿通して取り付けた状態を示してある。
【００２０】
給排気筒１１は、排気管２とその外周を囲むように取り付けられた給気筒３からなり、先端部には給気側と排気側を分離する排気フランジ４が設けられ、排気管２より排出される排気ガスが給気側に吸い込まれにくくする役割を果たす。
【００２１】
給気筒３の先端部には給気フランジ５が設けられ、給排気筒１１を外壁１に固定するときの当たり面の役割を果たす。
【００２２】
そして、排気フランジ４と給気フランジ５の間で形成する給気導入口となる給気口６より燃焼用空気を取り入れる。
【００２３】
排気管２の先端には排気穴７が設けられ燃焼排ガスを放出するようにしてある。
【００２４】
また、給排気筒１１の取付部材として傾斜フランジ１２を設け、給排気筒１１を外壁１に取り付ける場合に結露水や雨水が給排気筒１１内部に流れ込まないように傾斜を持たせて取り付けるようになっている。
【００２５】
そして、傾斜フランジ１２と給気フランジ５の間に発熱体１３を挟み込んで取り付けるようにしており、この発熱体１３として自己制御型のＰＴＣヒータを使用し、例えば雰囲気温度が７℃を下回るとヒータ１３に通電し、２０℃以上になると通電を停止するように設定している。
【００２６】
このように、燃焼状態に関係なく、給排気筒１１の給気フランジ５の温度が低くなるとヒータ１３の通電を開始し、約１５℃の温度を維持することで、給気口６が結氷などで閉塞されることがなく、安全に燃焼を継続することができる。
【００２７】
（実施の形態２）
図２は、本発明の第２の実施の形態における給排気筒の設置断面図であり、第１の実施の形態と相違する点は、発熱体を傾斜フランジ内に一体的に内蔵した点、及び、電源線とサーミスタの信号線を壁貫通穴を通して室内側機器本体と接続するように構成した点である。第１の実施の形態と同一部分は同一番号を付与し、説明を省略する。
【００２８】
傾斜フランジ１４には、その内部に発熱体１３を一体的に内蔵しており、発熱体１３としてサーミスタ内蔵型のプレートヒータを使用している。そして、その発熱体内蔵の傾斜フランジ１４から貫通穴１０を通して電源線と信号線を燃焼機１６に接続している。
【００２９】
燃焼機１６側には、操作部等に発熱体１３への通電を指示するスイッチを設け、任意に通電制御が可能な構成としている。そして、スイッチ構成として、自動、手動、停止というように、結氷防止運転が任意に選択できる構成とすることも可能である。
【００３０】
また、発熱体１３には給気フランジ５近傍の雰囲気温度を検出可能なサーミスタが設けられているため、外気温度が低下し結氷現象が発生しそうな温度になると、自動的に発熱体１３への通電を開始するように制御することも可能である。
【００３１】
このように、本実施形態においては、使用者が結氷の起こりやすい１月から３月の間だけ給排気筒１１の結氷防止動作を行うことや、結氷発生後に随時発熱体への通電を行う等、使用者が任意に結氷防止運転を選択することができる。
【００３２】
また、サーミスタの信号を用いることで外気温に応じて自動的に結氷防止運転を行うことも可能となる。
【００３３】
以上のように、使い勝手に応じて運転形態を選択することで、省エネ、省メンテナンスにつながるという利点を持つ。また、燃焼機自身で制御を行うことで、異常加熱や漏電、断線などの検知もでき、安全性が向上する。
【００３４】
（実施の形態３）
図３は、本発明の第３の実施の形態における給排気筒の設置断面図であり、給気フランジ５近傍に発熱体１３を配して給気口６の結氷を防止する構成とすることで、給気口６の入口に細かい開口を有する給気カバー１７を設けることが可能となる。つまり、従来のように発熱体を配設しない構成においては給気口６の入口に給気カバー１７を設けると、この給気カバー１７の部分で結氷してしまい給気閉塞状態となるが、本実施形態においては、結氷現象が発生しそうになると発熱体１３による結氷防止運転を開始するため、給気カバー１７を配設してもこの部分で結氷することがなく、給気カバー１７の構成として幅２.５ｍｍ以下のスリット穴にしておけば、かめ虫などの昆虫が侵入できなくなり、給気管つまりによる異常燃焼や異常音の発生を防止することができる。
【産業上の利用可能性】
【００３５】
以上のように、本発明に係る燃焼器の給排気筒は、燃焼中あるいは燃焼停止時に任意に発熱体により給気フランジ面を含む給気導入口近傍の温度を上昇することが可能となり、給気フランジ面から始まる導入空気中の結晶化した水蒸気の付着を防止し、給気口が閉塞されるという事態を回避することが可能となって、給気不足による異常燃焼を防止することができ、安全に燃焼を継続することが可能となるので、ガス、石油等を用いたＦＦ温風機あるいは給湯機あるいは温水暖房機の給排気筒にも適用できる。
【図面の簡単な説明】
【００３６】
【図１】本発明の実施の形態１における給排気筒の設置断面図
【図２】本発明の実施の形態２における給排気筒の設置断面図
【図３】本発明の実施の形態３における給排気筒の設置断面図
【図４】従来の給排気筒の設置断面図
【符号の説明】
【００３７】
２  排気筒
３  給気筒
４  排気フランジ
５  給気フランジ
１３  発熱体
【図１】
2005090909.tif 000003
【図２】
2005090909.tif 000004
【図３】
2005090909.tif 000005
【図４】
2005090909.tif 000006